(57)【特許請求の範囲】
【請求項１】
固体発光素子を含む光源と、
前記光源が内部に配置される灯体と、
前記光源に電力を供給する電源回路を内部に備える電源ボックスと、
一端部が前記電源ボックスに接続され、かつ、他端部が前記灯体に接続されるアームと、
前記アームを支持するアーム支持台と、
前記灯体と熱的に接続された放熱部とを備え、
前記灯体は、
両端部が開口した筒状の形状を有する筒状部と、
前記筒状部と一体的に形成され、前記筒状部の内部空間を前方空間と後方空間とに仕切る隔壁部と、
前記後方空間において、前記筒状部及び前記隔壁部の少なくとも一方に一体的に形成されたフィン状の形状を有する後方フィン状部とを備え、
前記光源は、前記前方空間において前記隔壁部の一方の面である取付面に取り付けられ、
前記後方フィン状部は、前記後方空間から前記灯体の外部に出ないように配置され、
前記アーム支持台は、前記後方空間において、前記灯体に固定されており、
前記アームは前記筒状部の側面部に形成された側方開口部に配置され、
前記放熱部は、前記灯体の前記後方空間側の後方開口部を閉塞し、
前記放熱部の前記後方空間の外側向きの面である露出面は、前記後方空間側の内部に配置される
照明器具。
【請求項２】
前記灯体の前記後方空間側の端面と、前記放熱部の前記露出面の包絡面とは、凹状の連続的な滑らかな曲面を形成している
請求項１に記載の照明器具。
【請求項３】
前記側方開口部の開口幅は、前記アームの太さと略同じである
請求項１又は２に記載の照明器具。
【請求項４】
前記電源回路から前記光源に電力を供給するためのリード線を備え、
前記リード線は、一端及び他端がそれぞれ前記光源及び前記電源回路と電気的に接続され、前記隔壁部に形成された挿通孔に挿入され、かつ、前記後方フィン状部によって位置が規制される
請求項１〜３のいずれか１項に記載の照明器具。
【請求項５】
前記灯体は、前記前方空間において、前記筒状部及び前記隔壁部の少なくとも一方に一体的に形成されたフィン状の形状を有する前方フィン状部を備え、
前記前方フィン状部は、前記前方空間から前記灯体の外部に出ないように配置される
請求項１〜４のいずれか１項に記載の照明器具。
【請求項６】
前記灯体は、前記取付面に立設され、前記光源の周囲を囲む遮光壁部を備え、
前記遮光壁部、前記前方フィン状部、前記隔壁部及び前記筒状部は、一体的に形成されている
請求項５に記載の照明器具。
【発明の詳細な説明】
【技術分野】
【０００１】
本発明は、照明器具に関する。
【背景技術】
【０００２】
従来の照明器具、例えばスポットライト用の照明器具では、光を出射する開口部を有する灯体と、灯体の内部に取り付けられた光源と、この光源からの出射光の配光を制御する反射部材と、反射部材からの光が入射されるレンズとを備えている。
【０００３】
当該照明器具では、光源として、ＬＥＤなどの固体発光素子の採用がされている（例えば、特許文献１）。ＬＥＤは、長寿命で、かつ、消費電力の少ないという特徴を有する。一方で、ＬＥＤは、点灯時の発熱に伴う温度上昇によって、発光効率が低下する。そこで、特許文献１に開示された照明器具では、放熱フィンを設けて、ＬＥＤの温度上昇を抑制している。
【先行技術文献】
【特許文献】
【０００４】
【特許文献１】特開２０１０−０７３６５４号公報
【発明の概要】
【発明が解決しようとする課題】
【０００５】
しかしながら、特許文献１に開示された照明器具では、放熱フィンが外部に露出されているため、放熱フィンの間に埃が溜まり易く、当該埃により放熱効率が低下するという問題がある。また、照明器具１では、放熱フィンにおける埃を除去するには、複雑な形状を有する放熱フィンの隙間を清掃する必要があるため、多大な労力を要する。また、デザイン上も、照明器具の露出面において、凹凸構造を有さないシンプルな外観が求められるため、放熱フィン、ねじなどが外部に露出することは好ましくない。
【０００６】
そこで、本発明は、露出面における凹凸構造を低減でき、かつ、放熱効率の良い照明器具を提供する。
【課題を解決するための手段】
【０００７】
上記課題を解決するために、本発明に係る照明器具の一態様は、固体発光素子を含む光源と、前記光源が内部に配置される灯体と、光源に電力を供給する電源回路を内部に備える電源ボックスと、一端部が電源ボックスに接続され、かつ、他端部が灯体に接続されるアームと、アームを支持するアーム支持台とを備え、灯体は、両端部が開口した筒状の形状を有する筒状部と、筒状部と一体的に形成され、筒状部の内部空間を前方空間と後方空間とに仕切る隔壁部と、後方空間において、筒状部及び隔壁部の少なくとも一方に一体的に形成されたフィン状の形状を有する後方フィン状部とを備え、光源は、前方空間において隔壁部の一方の面である取付面に取り付けられ、後方フィン状部は、後方空間から灯体の外部に出ないように配置され、アーム支持台は、後方空間において、灯体に固定されており、アームは筒状部の側面部に形成された側面開口部に配置される。
【発明の効果】
【０００８】
本発明によれば、露出面における凹凸構造を低減でき、かつ、放熱効率の良い照明器具を提供することができる。
【図面の簡単な説明】
【０００９】
【図１】図１は、実施の形態に係る照明器具の外観を示す斜視図である。
【図２】図２は、実施の形態に係る照明器具の一部分解斜視図である。
【図３】図３は、実施の形態に係る照明器具の一部分解斜視図である。
【図４】図４は、実施の形態に係る照明器具の断面図である。
【図５】図５は、実施の形態に係る照明器具の断面図である。
【図６】図６は、実施の形態に係る照明器具の外観を示す斜視図である。
【図７】図７は、実施の形態に係る灯体の外観を示す斜視図である。
【図８】図８は、実施の形態に係る灯体の外観を示す斜視図である。
【図９】図９は、比較例の照明器具の構成を示す断面図である。
【図１０Ａ】図１０Ａは、実施の形態に係る照明器具における温度分布のシミュレーション結果を示す断面図である。
【図１０Ｂ】図１０Ｂは、比較例の照明器具における温度分布のシミュレーション結果を示す断面図である。
【図１１】図１１は、実施の形態に係る照明器具において、リード線をアームの挿通孔内に挿通する際の各構成要素の配置を示す断面斜視図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態）
［１．構成］
まず、実施の形態に係る照明器具の構成について説明する。
【００１３】
図１は、本実施の形態に係る照明器具１の外観を示す斜視図である。
【００１４】
図２は、本実施の形態に係る照明器具１の一部分解斜視図である。図２では、照明器具１の構成要素のうち、主に、灯体１０、灯体１０の内部に配置される光源３０、及び、光源３０の前方（図２のｚ軸方向正側）に配置される構成要素が示されている。
【００１５】
図３は、本実施の形態に係る照明器具１の一部分解斜視図である。図３では、照明器具１の構成要素のうち、灯体１０及び灯体１０の後方（図のｚ軸方向負側）寄りに配置される構成要素が示されている。
【００１６】
図４は、本実施の形態に係る照明器具１の断面図である。図４は光軸Ｊを通り、図のｙｚ平面に平行な断面における照明器具１の断面図を示す。
【００１７】
図５は、本実施の形態に係る照明器具１の断面図である。図５は光軸Ｊを通り、図のｚｘ平面に平行な断面における照明器具１の断面図を示す。
【００１８】
図６は、本実施の形態に係る照明器具１の外観を示す斜視図である。図６では、主に、照明器具１の後部（図のｚ軸方向負側）を示している。
【００１９】
図１〜図３に示されるように、照明器具１は、スポットライトであり、主に、灯体１０、光源３０、取付部材３２、接続部材３６、反射部材４０、光学部材５０、光制御部材６０、アーム７０、板ばね８０及び電源ボックス９０を備える。以下、照明器具１の各構成要素について説明する。
【００２０】
［１−１．灯体］
灯体１０は、図４及び図５に示されるように、光源３０が内部に配置される部材である。灯体１０は、光源３０から発生した熱を放熱するヒートシンクとしても機能する。以下、図４及び図５に加えて図７及び図８を用いて灯体１０について詳細に説明する。
【００２１】
図７は、本実施の形態に係る灯体１０の外観を示す斜視図である。図７では、主に、灯体１０の前方空間１２１側が示されている。
【００２２】
図８は、本実施の形態に係る灯体１０の外観を示す斜視図である。図８では、主に、灯体１０の後方空間１２２側が示されている。
【００２３】
図４に示されるように、灯体１０は、両端部が開口した筒状の形状を有する筒状部１１と、筒状部１１と一体的に形成され、筒状部１１の内部空間を前方空間１２１と後方空間１２２とに仕切る隔壁部１６とを備える。本実施の形態では、灯体１０の筒状部１１は、略円筒形状の筒体である。隔壁部１６は、筒状部１１と一体的に形成されていることにより、光源３０から発生した熱を効率よく筒状部１１に伝導させることができる。ここで筒状部１１は、外部に露出されているため、外部の空気によって冷却される。
【００２４】
図４に示されるように、灯体１０は、前方開口部１１１、後方開口部１１２及び側方開口部１１３を備える。前方開口部１１１は、前方（各図のｚ軸方向正側）に位置する開口である。後方開口部１１２は、後方（各図のｚ軸方向負側）に位置する開口である。側方開口部１１３は、筒状部１１の側面部に形成されたスリット状の開口である。このように、筒状部１１は、その側面において、側方開口部１１３以外の部分にほぼ凹凸構造のないシンプルな外観形状を有する。
【００２５】
図４及び図５に示されるように、灯体１０の前方空間１２１において、光源３０が、隔壁部１６の一方の面である取付面１６１に取り付けられる。また、図４に示されるように、前方空間１２１には、取付部材３２、反射部材４０、光学部材５０及び光制御部材６０が配置される。また、図５に示されるように、前方空間１２１には、さらに、接続部材３６が配置される。
【００２６】
図４及び図７に示されるように、灯体１０は、前方空間１２１に、遮光壁部１４を備える。遮光壁部１４は、取付面１６１に立設され、光源３０の周囲を囲む部分である。本実施の形態では、遮光壁部１４は、取付面１６１から前方（ｚ軸方向正側）に向かって延び、かつ、光源３０の周囲を囲む。遮光壁部１４は、光源３０から出射された光のうち、反射部材４０と取付面１６１（又は、光源３０）との隙間から洩れた一部の光が、灯体１０の筒状部１１と反射部材４０との間に漏れることを抑制する。これにより、照明器具１の前方（各図のｚ軸方向正側）の筒状部１１と反射部材４０との間からの光漏れを抑制することができる。
【００２７】
また、図７に示されるように、灯体１０は、前方空間１２１において、隔壁部１６及び筒状部１１の少なくとも一方に一体的に形成されたフィン状の形状を有する複数の前方フィン状部１５を備える。前方フィン状部１５は、隔壁部１６及び筒状部１１の少なくとも一方から熱が伝導され、放熱する機能を有する。本実施の形態では、図７に示されるように、前方フィン状部１５は、筒状部１１及び隔壁部１６の両方と一体的に形成されている。これにより、光源３０から発生した熱は、隔壁部１６から、前方フィン状部１５を介して、筒状部１１に効率よく伝導される。また、前方フィン状部１５は、前方空間１２１から灯体１０の外部に出ないように配置される。これにより、照明器具１の露出面における凹凸構造を抑制することができる。
【００２８】
図７に示されるように、灯体１０の隔壁部１６には、挿通孔１６２及び二つの貫通孔１６４が形成されている。挿通孔１６２は、電源ボックス９０が内蔵する電源回路から光源３０に電力を供給するためのリード線９２が挿通される孔であり、隔壁部１６に形成されている。挿通孔１６２の内径は、リード線９２の外径と略同じである。これにより、挿通孔１６２から、後方空間１２２に光が漏れることが抑制される。
【００２９】
貫通孔１６４は、アーム７０を支持するアーム支持台２０を隔壁部１６に固定するための貫通孔である。図３に示される二つのねじ２６がそれぞれ貫通孔１６４を介してアーム支持台２０の前方（ｚ軸方向正側）端に形成されたねじ穴に捻じ込まれることによって、アーム支持台２０が隔壁部１６に固定される。
【００３０】
図４及び図８に示されるように、灯体１０は、後方空間１２２において、筒状部１１及び隔壁部１６の少なくとも一方に一体的に形成されたフィン状の形状を有する複数の後方フィン状部１７を備える。後方フィン状部１７は、後方空間１２２から灯体１０の外部に出ないように配置される。また、図８に示されるように、複数の後方フィン状部１７のうち、少なくとも二つの後方フィン状部１７は、リード線９２が挿通される挿通孔１６２の近傍に立設されている。挿通孔１６２の近傍であって、挿通孔１６２をｘ軸方向に挟む位置に立設されている後方フィン状部１７により、リード線９２の位置が規制される。このため、リード線９２を所定の位置に容易に配置することができる。また、リード線９２をアーム７０の内部に挿通する際に、リード線９２の位置が規制されるため、当該挿通作業を容易に行うことができる。リード線９２の位置規制機能については、後述する。
【００３１】
灯体１０は、金属材料で形成される。本実施の形態では、灯体１０は、例えばアルミダイカスト工程を経て形成される。灯体１０の外表面の塗装色は、照明器具１の用途などに応じて選択されてよい。本実施の形態では、灯体１０は白色に塗装される。
【００３２】
［１−２．アーム支持台］
アーム支持台２０は、アーム７０を支持する部材である。アーム支持台２０は、図４に示されるように、後方空間１２２において、灯体１０に固定されている。本実施の形態では、アーム支持台２０は、隔壁部１６の後方空間１２２側に固定されている。
【００３３】
アーム支持台２０は、灯体１０と熱的に接続された放熱部２８を備える。上述のとおり、本実施の形態では、アーム支持台２０は、灯体１０の隔壁部１６に固定されている。これにより、アーム支持台２０の放熱部２８は、光源３０から発生した熱を放熱する機能を有する。本実施の形態では、図６に示されるように、放熱部２８は、アーム支持台２０のうち、後方側（ｚ軸方向負側）に配置される。放熱部２８は凹凸形状を有し、外部に露出される露出面を備える。本実施の形態では、放熱部２８は、略円板状の形状を有し、外部に露出される側の主面には、複数の溝が略ｙ軸方向に沿って形成されている。当該溝により、放熱部２８の表面積が増大するため、放熱効率を向上させることができる。
【００３４】
放熱部２８は、図４及び図５に示されるように、灯体１０の後方空間１２２側の開口部である後方開口部１１２を閉塞する。このように放熱部２８によって、後方開口部１１２を閉塞することにより、灯体１０の後方空間１２２に配置された複数の後方フィン状部１７、リード線９２などが外部から視認されることを抑制できる。なお、ここで「閉塞」との記載によって、必ずしも完全な密閉を意味しない。例えば、放熱部２８（つまり、本実施の形態ではアーム支持台２０）を後方開口部１１２から挿入するために必要な隙間が、放熱部２８と後方開口部１１２との間に設けられていてもよい。また、放熱部２８によって、灯体１０の後方空間１２２の内部のほとんどが視認されない程度に塞がれていればよい。
【００３５】
また、放熱部２８の後方空間１２２の外側向きの面である露出面２８０は、後方空間１２２側の内部に配置される。これにより、本実施の形態のように、放熱部２８の露出面２８０が凹凸構造を有する場合であっても、照明器具１の外部から凹凸構造が視認されることを抑制することができる。
【００３６】
アーム支持台２０は、図３に示されるように、アーム支持部２４２を備える。アーム支持部２４２は、アーム７０を支持する部分である。本実施の形態では、アーム支持部２４２の横断面の形状は、略半円形状であり、アーム７０の他端部７４の形状に対応している。
【００３７】
アーム支持台２０は、金属材料で形成される。本実施の形態では、アーム支持台２０は、例えばアルミダイカスト工程を経て形成される。アーム支持台２０の外表面の塗装色は、照明器具１の用途などに応じて選択されてよい。本実施の形態では、アーム支持台２０は、灯体１０と同じく白色に塗装される。
【００３８】
［１−３．光源］
光源３０は、固体発光素子を含む光源である。光源３０は、図４及び図５に示されるように、灯体１０の内部に配置され、照明器具１の出射光となる光を出射する光源である。本実施の形態では、光源３０は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源３０は、例えば白色光を出射するように構成されている。光源３０は、ＣＯＢ（Ｃｈｉｐ  Ｏｎ  Ｂｏａｒｄ）型ＬＥＤで構成され、図３に示されるように、基台３０２と、基台３０２上に実装されたベアチップ（ＬＥＤチップ）である複数のＬＥＤ３０４と、それらＬＥＤ３０４を封止し、蛍光体を含む封止部材とを備える。なお、本実施の形態では、封止部材は全てのＬＥＤ３０４を一括封止しているが、封止部材の構成はこれに限られない。ライン状に配列されたＬＥＤ３０４の配列方向に沿って複数本のライン状に封止部材を形成する構成としてもよい。
【００３９】
光源３０は、図４に示されるように、隔壁部１６の取付面１６１に取り付けられる。各図に示される照明器具１において、光源３０の光軸Ｊは各図のｚ軸方向である。
【００４０】
基台３０２は、複数のＬＥＤ３０４を実装するための実装基板であって、例えばセラミックス基板、樹脂基板又は絶縁被覆されたメタルベース基板などである。また、基台３０２は、例えば平面視において矩形である平面を有する板状であり、基台３０２の底面（図２のｚ軸方向負側）が隔壁部１６の取付面１６１に取り付けられることによって固定される。なお、図示しないが、基台３０２には、ＬＥＤ３０４（光源３０）を発光させるための直流電力を外部から受電するための一対の電極端子（正電極端子及び負電極端子）が形成されている。
【００４１】
［１−４．取付部材］
取付部材３２は、光源３０を隔壁部１６に取り付けるための部材である。図２に示されるように、取付部材３２は、規制部３２２及び第二係止部３２４を備える。
【００４２】
規制部３２２は、光源３０の光軸Ｊに垂直な方向（ｘ軸方向及びｙ軸方向）の位置を規制する。規制部３２２は、中央に開口部を有する矩形枠状の形状を有する。規制部３２２の中央に形成された開口部は、光源３０に対応する形状を有し、当該開口部に光源３０が配置される。取付部材３２は、隔壁部１６の取付面１６１に配置され、接続部材３６及びねじ３８によって、隔壁部１６に固定される。より具体的には、取付部材３２の規制部３２２には、貫通孔３２６が形成されており、ねじ３８を、貫通孔３２６を介して隔壁部１６に形成されたねじ穴に捻じ込むことにより、取付部材３２が隔壁部１６に対して固定される。これにより、取付部材３２及びその開口部に配置された光源３０が隔壁部１６に固定される。
【００４３】
第二係止部３２４は、反射部材４０を支持するため爪状の部分であり、図５に示されるように、反射部材４０の第二被係止部４４０を係止する。本実施の形態では、取付部材３２は、二つの第二係止部３２４を備える。第二係止部３２４は、略Ｌ字型の形状を有しており、第二係止部３２４の端部の光軸Ｊから離れる向き突出した傾斜面（突起）が、第二被係止部４４０に挿入されることにより、第二係止部３２４が第二被係止部４４０を係止する。
【００４４】
取付部材３２は、例えば、ポリブチレンテレフタレート（ＰＢＴ）、ポリカーボネートなどの樹脂材料を用いて形成することができる。
【００４５】
［１−５．接続部材］
接続部材３６は、光源３０へ電流を供給する配線（図示せず）が接続される部材である。本実施の形態に係る照明器具１は、図２に示されるように、二つの接続部材３６を備え、一方の接続部材３６に高電位側の配線が、他方の接続部材３６に低電位側の配線が、それぞれ接続される。接続部材３６には、光源３０へ電流を供給する電極（不図示）が設けられている。当該電極が光源３０に形成された電極端子に接続される。
【００４６】
また、接続部材３６は、光源３０の位置を規制する機能も有する。接続部材３６には、ねじ３８が貫通する貫通孔が形成されており、当該貫通孔に挿入されたねじ３８によって、接続部材３６が隔壁部１６及び取付部材３２に固定される。その際、図５に示されるように接続部材３６の光軸Ｊ側の部分が、光源３０を隔壁部１６に向けて押さえることにより、光源３０の光軸方向（ｚ軸方向）における位置を規制する。
【００４７】
接続部材３６の筐体は、例えば、ＰＢＴ、ポリカーボネートなどの樹脂材料を用いて形成することができる。また、接続部材３６の電極は、銅などの導電性部材を用いて形成することができる。
【００４８】
［１−６．反射部材］
反射部材４０は、光源３０からの光の配光を制御する部材である。本実施の形態では、反射部材４０は、図２に示されるように、光源３０からの光を光学部材５０に向けて反射させる。反射部材４０は、光軸Ｊが貫通する開口が形成された略筒状の形状を有する。
【００４９】
反射部材４０は、光源３０からの光が入射される側（ｚ軸方向負側）の端部から、当該光が出射される側の端部に向かって内径が漸次大きくなるように構成された略筒状の形状を有する。反射部材４０の内面において、光源３０からの光が反射される。
【００５０】
図５に示されるように、反射部材４０の外面側には、取付部材３２の第二係止部３２４に係止される第二被係止部４４０が設けられている。第二被係止部４４０は、反射部材４０の外面側に立設された部材に設けられた孔である。第二被係止部４４０が第二係止部３２４に係止されることにより、反射部材４０は、取付部材３２に係止される。これにより、反射部材４０は、取付部材３２を介して隔壁部１６に取り付けられる。
【００５１】
図２に示されるように、反射部材４０の光出射側の端部には、三つの第三係止部４１０が設けられている。第三係止部４１０は、光学部材５０を係止する爪状の部分である。
【００５２】
反射部材４０は、例えばポリブチレンテレフタレート（ＰＢＴ）など硬質の白色樹脂材料を用いて形成することができる。
【００５３】
［１−７．光学部材］
光学部材５０は、図４に示されるように、反射部材４０からの光が入射される光入射面５１０、及び、光入射面５１０に入射した光が出射される光出射面５２０を備える透光性の部材である。光学部材５０は、反射部材４０から入射された光の配光を制御して出射する機能を有してもよい。本実施の形態では、光学部材５０はフレネルレンズである。これにより、照明器具１は、出射光を集光して、スポット状の照明領域を形成することができる。
【００５４】
光学部材５０は、図２に示されるように、周縁部に、三つの第三被係止部５３０が設けられている。本実施の形態では、第三被係止部５３０は、光学部材５０の光出射面５２０に設けられた凹状の形状を有する部分である。光学部材５０の第三被係止部５３０が反射部材４０の第三係止部４１０に係止されることによって、光学部材５０が反射部材４０に係止される。これにより、光学部材５０は、反射部材４０及び取付部材３２を介して隔壁部１６に取り付けられる。また、このように反射部材４０の光出射側の端部に光学部材５０が配置されることにより、反射部材４０から出射された光が、光学部材５０に効率よく入射される。
【００５５】
光学部材５０は、透光性材料を用いて形成されており、例えばＰＭＭＡ（アクリル）、ポリカーボネートなどの透明樹脂材料、又は、ガラス材料などの透明材料を用いて形成することができる。
【００５６】
［１−８．光制御部材］
光制御部材６０は、図４に示されるように、光学部材５０から出射された光が入射される入射開口部６１０及び入射開口部６１０に入射された光が出射される出射開口部６２０を有し、かつ、灯体１０の内部であって、光学部材５０の光出射面５２０側に配置された略筒状の部材である。光制御部材６０は、図２に示されるように、灯体１０とは別体である。
【００５７】
光制御部材６０は、図２及び図４に示されるように、入射開口部６１０及び出射開口部６２０を光軸Ｊが通るように配置される。また、図４に示されるように、光制御部材６０の出射開口部６２０の外径は、灯体１０の前方開口部１１１の内径と略等しい。これにより、灯体１０の前方開口部１１１の出射光通過領域が光制御部材６０によって削減されることを抑制できる。また、灯体１０と光制御部材６０との間からの出射光の漏れを抑制できる。
【００５８】
図４に示されるように、光制御部材６０は、灯体１０の前方開口部１１１近傍に、出射開口部６２０が位置するように配置される。また、光制御部材６０の光軸Ｊ方向（ｚ軸方向）の長さは、光学部材５０の光出射面５２０から、灯体１０の前方開口部１１１までの長さ程度である。これにより、光制御部材６０は、灯体１０の内面のうち、光学部材５０の光出射面５２０近傍から、灯体１０の前方開口部１１１近傍まで部分を覆うことができる。ここで、光制御部材６０の内面（光軸Ｊ側の面）は、黒色のグレア抑制面である。このように、灯体１０の前方開口部１１２付近の内面は、黒色のグレア抑制面である光制御部材６０の内面で覆われる。これにより、灯体１０の前方開口部１１２付近の内面におけるグレアが抑制される。
【００５９】
光制御部材６０の内面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、光制御部材６０の内面におけるグレアをさらに抑制するために、図４などに示されるように、光制御部材６０の内面に段差部（バッフル）を設けてもよい。
【００６０】
光制御部材６０は、図２及び図４に示されるように、外周に第一被係止部６６０を備える。光制御部材６０は、第一被係止部６６０が第一係止部１１４に係止されることにより、灯体１０の内部に保持される。本実施の形態では、第一被係止部６６０は、凸状の形状を有し、凹状の形状を有する第一係止部１１４に係止される。このように、光制御部材６０は、灯体１０の前方開口部１１１に挿入するだけで簡単に取り付けることができる。したがって、本実施の形態に係る照明器具１では、灯体１０の内面及び外面の塗装を塗り分ける場合より、灯体１０の内面に黒色のグレア抑制面を容易に形成することができる。
【００６１】
光制御部材６０は、例えば、ポリカーボネート、ＰＢＴなどの樹脂材料を用いて形成することができる。このように、光制御部材６０を、樹脂材料を用いて形成することにより、光制御部材６０を容易に、かつ、低コストで製造することができる。
【００６２】
［１−９．アーム］
アーム７０は、一端部７３が電源ボックス９０に接続され、かつ、他端部７４が灯体１０に接続される部材である。本実施の形態では、図３に示されるように、アーム７０は、アーム本体７２と一端部７３及び他端部７４とを備える。他端部７４は、互いに逆方向に突出した略円柱状の回転軸部を有する。本実施の形態では、他端部７４は、光軸Ｊ及びアーム７０の長手方向に垂直な方向に延びる略円柱状の回転軸部を備える。アーム７０の他端部７４が、板ばね８０とアーム支持台２０のアーム支持部２４２とで挟まれることによって、アーム７０はアーム支持台２０に回転自在に取り付けられる。つまり、本実施の形態では、アーム７０は、アーム支持台２０を介して灯体１０に接続される。図４及び図６に示されるようにアーム７０は筒状部１１の側面部に形成された側方開口部１１３に配置される。つまり、アーム７０は、側方開口部１１３を介して灯体１０の外部から内部に挿入されている。
【００６３】
以下、アーム７０の詳細な構成について、図４を用いて説明する。
【００６４】
図４に示されるように、アーム７０の内部には、アーム７０の長手方向に挿通孔７６が形成されている。挿通孔７６には、リード線９２が挿入され、リード線９２によって電源ボックス９０から光源３０に電力が供給される。このように、リード線９２が外部に露出しないため、リード線９２が損傷することが抑制される。また、照明器具１の外部からリード線９２が見えないため、デザイン的にも好ましい。
【００６５】
アーム７０は、金属材料で形成される。本実施の形態では、アーム７０は、例えばアルミダイカスト工程を経て形成される。
【００６６】
［１−１０．板ばね］
板ばね８０は、アーム７０をアーム支持台２０に対して回転自在に取り付けるための弾性部材である。本実施の形態では、板ばね８０は、図３に示されるように略Ｃ字型の形状を有しており、アーム支持台２０とともに、アーム７０の他端部７４を挟んだ状態で、ねじ８６及び８８によってアーム支持台２０に固定される。これにより、アーム７０がアーム支持台２０に取り付けられる。
【００６７】
アーム７０の他端部７４は、板ばね８０とアーム支持台２０とで挟まれた状態であるため、アーム７０は、他端部７４を中心としてアーム支持台２０に対して回転自在である。また、アーム７０を回転させるために要するトルクは、板ばね８０をアーム支持台２０に固定するばね８８の捻じ込み量の調整により調整可能である。ねじ８８は、照明器具１を組み立てた状態で、灯体１０の側方開口部１１３からドライバーによって調整できる位置に配置される。これにより、ユーザが、照明器具１を分解することなく、アーム７０を回転させるために要するトルクを調整できる。
【００６８】
板ばね８０は、金属材料で形成される。本実施の形態では、板ばね８０は、例えば鉄で形成される。
【００６９】
［１−１１．電源ボックス］
図３に示される電源ボックス９０は、光源３０に電力を供給する電源回路が内蔵された筐体である。本実施の形態では、電源ボックス９０に内蔵された電源回路は、電源ボックス９０の外部から供給された交流電力を直流電力に変換し、当該直流電力を、リード線９２を介して光源３０のＬＥＤ３０４に供給する。
【００７０】
電源ボックス９０の外壁部分は、金属材料、樹脂材料などから形成される。本実施の形態では、例えば、当該外壁部分は、アルミニウムで形成される。
【００７１】
［２．放熱構成］
次に、本実施の形態に係る照明器具１の放熱構成について説明する。
【００７２】
照明器具１では、上述のとおり、図４に示されるように、灯体１０は、両端部が開口した筒状の形状を有する筒状部１１と、筒状部１１と一体的に形成され、筒状部１１の内部空間を前方空間１２１と後方空間１２２とに仕切る隔壁部１６とを備える。また、灯体１０は、筒状部１１及び隔壁部１６の少なくとも一方に一体的に形成されたフィン状の形状を有する後方フィン状部１７を備える。また、発熱源である光源３０は、図４に示されるように、隔壁部１６の取付面１６１に配置される。これにより、隔壁部１６から、隔壁部１６と一体的に形成された筒状部１１に、効率よく熱が伝導する。このため、筒状部１１の外面に凹凸形状を形成することなしに、効率よく放熱することができる。また、本実施の形態では、図４及び図８に示されるように、後方フィン状部１７が、筒状部１１及び隔壁部１６と一体的に形成されていることにより、隔壁部１６から、後方フィン状部１７を介して筒状部１１に熱を伝導することができる。これにより、照明器具１の放熱効率をさらに向上させることができる。
【００７３】
また、照明器具１では、図７に示されるように、前方フィン状部１５と隔壁部１６とが一体的に形成されているため、隔壁部１６から、前方フィン状部１５に熱が伝導されることにより、光源３０から発生した熱をより効率よく放散することができる。さらに、照明器具１では、図７に示されるように、遮光壁部１４、前方フィン状部１５、筒状部１１及び隔壁部１６は、一体的に形成されている。これにより、照明器具１では、隔壁部１６から、遮光壁部１４及び前方フィン状部１５を経由して、筒状部１１まで効率よく熱が伝導されるため、放熱効率を向上させることができる。
【００７４】
また、照明器具１では、図４に示されるように、放熱部２８を備えるアーム支持台２０が、隔壁部１６に熱的に接続されることにより、さらに、放熱効率が向上する。
【００７５】
ここで、本実施の形態に係る照明器具１において、筒状部１１と隔壁部１６とを一体的に形成したことによる、筒状部１１と隔壁部１６との熱伝導効率の向上を説明するために、比較例の照明器具の熱伝導効率と比較する。
【００７６】
図９は、比較例の照明器具８の構成を示す断面図である。図９では、図４と同様に、照明器具８の光軸Ｊをｚ軸方向として、光軸Ｊを通り、ｙｚ平面に平行な断面における照明器具８の断面が示されている。
【００７７】
図９に示されるように、比較例の照明器具８は、本実施の形態に係る照明器具１と同様に、光源８３０、反射部材８４０、光学部材８５０、光制御部材８６０及びアーム８７０を備える。また、照明器具８は、照明器具１と同様に、隔壁部８１６及び筒状部８１１を備える。隔壁部８１６の取付面８６１には、光源８３０が取り付けられている。一方、照明器具８では、隔壁部８１６と筒状部８１１とは、一体的に形成されていない。すなわち、筒状部８１１と隔壁部８１６とは別体である。また、照明器具８では、隔壁部８１６の後方部（ｚ軸方向負側）にフィン状の放熱部が一体的に形成されている。このような比較例の照明器具８、及び、本実施の形態に係る照明器具１における熱伝導をシミュレートした結果を図１０Ａ及び図１０Ｂを用いて説明する。
【００７８】
図１０Ａは、本実施の形態に係る照明器具１における温度分布のシミュレーション結果を示す断面図である。
【００７９】
図１０Ｂは、比較例の照明器具８における温度分布のシミュレーション結果を示す断面図である。
【００８０】
図１０Ａ及び図１０Ｂでは、３０℃から１３０℃までの温度がグレースケールで示されている。図１０Ａ及び図１０Ｂにおいて、色が白に近いほど温度が高く、色が黒に近いほど温度が低いことを示す。
【００８１】
図１０Ａ及び図１０Ｂに示されるように、本実施の形態及び比較例とも光源３０および８３０付近において、温度が最も高い。ただし、本実施の形態に係る照明器具１の方が、比較例の照明器具８より、全体的に温度が低く抑えられていることが分かる。例えば、シミュレーションの結果、照明器具１では、隔壁部１６の最も高温の部分の温度は、比較例の隔壁部８１６の最も高温の部分の温度より、１０℃以上低下させられることが分かった。これは、照明器具１において、隔壁部１６から筒状部１１に効率よく熱が伝導し、効率よく放熱できていることに起因すると推測される。一方、比較例の照明器具８では、隔壁部８１６から筒状部８１１へ効率よく熱が伝導せず、かつ、隔壁部８１６の熱が外部の空気に効率よく放熱されないため、筒状部８１１の内部で熱が籠っていると推測される。なお、比較例の照明器具８においても、筒状部８１１と隔壁部８１６とは、接触しているが、別体であるため、隔壁部８１６と筒状部８１１との接触部における熱抵抗は大きい。そのため、隔壁部８１６から筒状部８１１へと効率よく熱が伝導しない。また、比較例の照明器具８において、隔壁部８１６と筒状部８１１との接触面において、熱伝導グリスを塗布することで、隔壁部８１６から筒状部８１１への熱伝導効率が向上する。しかしながら、隔壁部８１６と筒状部８１１とを一体的に形成する場合ほど熱伝導効率は向上しない。また、照明器具の製造工程において熱伝導グリスを塗る工程が追加されるため、製造に要する手間、時間及びコストが増大する。さらに、熱伝導グリスが、照明器具の外部に漏れて、照明器具の露出面が汚れるおそれがある。
【００８２】
以上に述べたように、本実施の形態に係る照明器具１では、比較例の照明器具８より効率よく放熱できるため、光源３０のＬＥＤの発光効率の低下を抑制することができる。
【００８３】
［３．リード線の位置規制構成］
次に、本実施の形態に係るリード線９２の位置を規制する構成について説明する。
【００８４】
図８に示されるように、複数の後方フィン状部１７のうち、少なくとも二つの後方フィン状部１７は、リード線９２が挿通される挿通孔１６２の近傍であって、挿通孔１６２をｘ軸方向に挟む位置に立設されている。挿通孔１６２の近傍に立設されている後方フィン状部１７により、リード線９２のｘ軸方向における位置が規制される。このため、リード線９２を所定の位置に容易に配置することができる。また、リード線９２をアーム７０の内部に挿通する際に、リード線９２の位置が規制されるため、リード線９２の挿通作業を容易に行うことができる。当該挿通作業について、図１１を用いて説明する。
【００８５】
図１１は、本実施の形態に係る照明器具１において、リード線９２をアーム７０の挿通孔７６内に挿通する際の各構成要素の配置を示す断面斜視図である。
【００８６】
図１１に示されるように、リード線９２をアーム７０の挿通孔７６内に挿通する際には、アーム７０を、アーム支持台２０に取り付けた状態で、アーム７０の長手方向が光軸Ｊ方向に沿うような姿勢に維持する。そして、アーム７０を灯体１０の後方（ｚ軸方向負側）に配置し、リード線９２の先をアーム７０の挿通孔７６に挿入する。続いて、アーム７０を図１１の矢印の方向（ｚ軸方向正向き）に移動させながら、リード線９２をアーム７０の挿通孔７６に挿入する。
【００８７】
このように、リード線９２をアーム７０の挿通孔７６に挿入するため、アーム７０によってリード線９２がｚ軸方向正側に押されることにより、リード線９２が図１１のｘ軸方向に撓む場合がある。しかしながら、本実施の形態に係る照明器具１では、後方フィン状部１７がリード線９２のｘ軸方向の位置を規制するため、リード線９２が撓むことが抑制される。このように、リード線９２を容易に、アーム７０の挿通孔７６に挿通することができる。
【００８８】
［４．外観］
次に、本実施の形態に係る照明器具１における外観について説明する。
【００８９】
図１及び図６に示されるように、本実施の形態に係る照明器具１においては、光源３０が内部に配置される灯体１０が、略円筒形のシンプルな形状であるため、少なくとも、灯体１０の側面における凹凸がほとんどない。これにより、照明器具１では、シンプルな外観を実現できる。
【００９０】
さらに、図６に示されるように、照明器具１では、アーム７０の他端部７４とアーム支持台２０との接続部は、灯体１０の内部に配置され、側方開口部１１３の開口幅は、アーム７０の太さと略同じである。これにより、側方開口部１１３がアーム７０で塞がれるため、照明器具１の外部から、側方開口部１１３を通して、アーム７０とアーム支持台２０との接続部、リード線９２、後方フィン状部１７などが視認されることを抑制できる。つまり、照明器具１の外観をさらにシンプルにすることができる。なお、ここで、アーム７０の太さとは、アーム本体７２の開口部に対応する位置におけるｘ軸方向の太さをいう。また、側方開口部１１３の開口幅とは、側方開口部１１３のｘ軸方向における幅をいう。また、アーム７０の太さが側方開口部１１３の開口幅と略同じとは、アーム７０の太さが、側方開口部１１３の開口幅未満で、かつ、当該開口幅の７０％以上であることをいう。
【００９１】
また、照明器具１では、図４及び図５に示されるように、灯体１０の後方空間１２２側の端面１１８と、放熱部２８の露出面２８０の包絡面とは、凹状の連続的な滑らかな曲面を形成している。なお、ここで、露出面２８０の包絡面とは、露出面２８０の光軸Ｊを通る断面における包絡線で形成される面である。本実施の形態では、端面１１８と、放熱部２８の露出面２８０の包絡面とが一つの球面を形成する。これにより、外観上、端面１１８と露出面２８０が一体的な曲面のように感じられるため、露出面２８０における溝の凹凸感を抑制することができる。
【００９２】
以上のように、本実施の形態に係る照明器具１では、灯体１０の側面及び後面（ｚ軸方向負側の面）の露出面における凹凸構造を低減することによって、シンプルな外観を実現できる。
【００９３】
［５．効果など］
以上のように、本実施の形態に係る照明器具１は、固体発光素子を含む光源３０と、光源３０が内部に配置される灯体１０と、光源３０に電力を供給する電源回路を内部に備える電源ボックス９０とを備える。また、照明器具１は、一端部７３が電源ボックス９０に接続され、かつ、他端部７４が灯体１０に接続されるアーム７０と、アーム７０を支持するアーム支持台２０とを備える。灯体１０は、両端部が開口した筒状の形状を有する筒状部１１と、筒状部１１と一体的に形成され、筒状部１１の内部空間を前方空間１２１と後方空間１２２とに仕切る隔壁部１６を備える。さらに、灯体１０は、後方空間１２２において、筒状部１１及び隔壁部１６の少なくとも一方に一体的に形成されたフィン状の形状を有する後方フィン状部１７を備える。また光源３０は、前方空間１２１において隔壁部１６の一方の面である取付面１６１に取り付けられ、後方フィン状部１７は、後方空間１２２から灯体１０の外部に出ないように配置される。アーム支持台２０は、後方空間１２２において、灯体１０に固定されており、アーム７０は筒状部１１の側面部に形成された側方開口部１１３に配置される。
【００９４】
このように、照明器具１では、後方フィン状部１７は灯体１０の外部に出ない。また、アーム７０は、後方空間１２２内において、アーム支持台２０に取り付けられるため、アーム支持台２０とアーム７０との接続部におけるねじなどの凹凸構造が、灯体１０の内部に配置される。これにより照明器具１の露出面における凹凸構造を低減できる。つまり、照明器具１ではシンプルな外観を実現できる。また、照明器具１では、光源３０が取り付けられた隔壁部１６が筒状部１１と一体的に形成されるため、光源３０から発生した熱が効率よく筒状部１１に伝導される。これにより、筒状部１１から外部の空気に効率よく放熱することができる。
【００９５】
また、本実施の形態に係る照明器具１において、灯体１０と熱的に接続された放熱部２８を備える。放熱部２８は、灯体１０の後方空間１２２側の後方開口部１１２を閉塞し、放熱部２８の後方空間１２２の外側向きの面である露出面２８０は、後方空間１２２側の内部に配置されてもよい。
【００９６】
このように、灯体１０と熱的に接続された放熱部２８を備えることにより、灯体１０からの放熱効率をさらに向上させることができる。また、放熱部２８が、後方空間１２２側の後方開口部１１２を閉塞することによって、照明器具１の外部から、後方空間１２２内の後方フィン状部１７などの凹凸構造が視認されることを抑制できる。また、放熱部２８は、後方空間１２２内に配置されるため、放熱部２８の露出面２８０が凹凸構造を有する場合であっても、照明器具１の外部から凹凸構造が視認されることを抑制することができる。
【００９７】
また、本実施の形態に係る照明器具１において、灯体１０の後方空間１２２側の端面１１８と、放熱部２８の露出面２８０の包絡面とは、凹状の連続的な滑らかな曲面を形成していてもよい。
【００９８】
これにより、外観上、端面１１８と露出面２８０が一体的な曲面のように感じられるため、露出面２８０における溝の凹凸感を抑制することができる。
【００９９】
また、本実施の形態に係る照明器具１において、側方開口部１３３の開口幅は、アーム７０の太さと略同じであってもよい。
【０１００】
これにより、側方開口部１１３がアーム７０で塞がれるため、照明器具１の外部から、側方開口部１１３を通して、アーム７０とアーム支持台２０との接続部、リード線９２、後方フィン状部１７などが視認されることを抑制できる。つまり、照明器具１の外観をさらにシンプルにすることができる。
【０１０１】
また、本実施の形態に係る照明器具１において、電源回路から光源３０に電力を供給するためのリード線９２を備え、リード線９２は、一端及び他端がそれぞれ光源３０及び電源回路と電気的に接続され、隔壁部１６に形成された挿通孔１６２に挿入されてもよい。さらに、リード線９２は、後方フィン状部１７によって位置が規制されてもよい。
【０１０２】
これにより、リード線９２の位置が規制されるため、リード線９２が撓むことが抑制される。このため、リード線９２をアーム７０の挿通孔７６に容易に挿通することができる。
【０１０３】
また、本実施の形態に係る照明器具１において、灯体１０は、前方空間１２１において、筒状部１１及び隔壁部１６の少なくとも一方に一体的に形成されたフィン状の形状を有する前方フィン状部１５を備えてもよい。前方フィン状部１５は、前方空間１２１から灯体１０の外部に出ないように配置されてもよい。
【０１０４】
これにより、前方フィン状部１５は、隔壁部１６及び筒状部１１の少なくとも一方から熱が伝導され、放熱する機能を有するため、照明器具１の放熱効率をさらに向上させることができる。また、前方フィン状部１５は、前方空間１２１から灯体１０の外部に出ないように配置されるため、照明器具１の露出面における凹凸構造を抑制することができる。
【０１０５】
また、本実施の形態に係る照明器具１において、灯体１０は、取付面１６１に立設され、光源３０の周囲を囲む遮光壁部１４を備え、遮光壁部１４、前方フィン状部１５、隔壁部１６及び筒状部１１は、一体的に形成されていてもよい。
【０１０６】
これにより、照明器具１では、隔壁部１６から、遮光壁部１４及び前方フィン状部１５を経由して、筒状部１１まで効率よく熱が伝導されるため、放熱効率をさらに向上させることができる。
【０１０７】
（変形例など）
以上、本発明に係る照明器具１について、実施の形態に基づいて説明したが、本発明は、上記実施の形態に限定されるものではない。
【０１０８】
例えば、上記実施の形態においては、後方フィン状部１７は、筒状部１１及び隔壁部１６の両方と一体的に形成されているが、後方フィン状部１７の構成はこれに限定されない。後方フィン状部１７は、筒状部１１及び隔壁部１６の少なくとも一方に一体的に形成されていればよい。
【０１０９】
また、上記実施の形態においては、前方フィン状部１５は、筒状部１１、隔壁部１６及び遮光壁部１４のいずれとも一体的に形成されているが、前方フィン状部１５の構成はこれに限定されない。前方フィン状部１５は、筒状部１１、隔壁部１６及び遮光壁部１４の少なくとも一つに一体的に形成されていればよい。
【０１１０】
また、上記実施の形態においては、光源３０において、ＣＯＢ型ＬＥＤを用いたが、他の固体発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子を用いてもよい。
【０１１１】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１１２】
１  照明器具
１０  灯体
１１  筒状部
１４  遮光壁部
１５  前方フィン状部
１６  隔壁部
１７  後方フィン状部
２０  アーム支持台
３０  光源
２８  放熱部
７０  アーム
７３  一端部
７４  他端部
９０  電源ボックス
９２  リード線
１１３  側方開口部
１１８  端面
１２１  前方空間
１２２  後方空間
１６１  取付面
１６２  挿通孔
２８０  露出面
【図１】
0006624546.tif 000002
【図２】
0006624546.tif 000003
【図３】
0006624546.tif 000004
【図４】
0006624546.tif 000005
【図５】
0006624546.tif 000006
【図６】
0006624546.tif 000007
【図７】
0006624546.tif 000008
【図８】
0006624546.tif 000009
【図９】
0006624546.tif 000010
【図１０Ａ】
0006624546.tif 000011
【図１０Ｂ】
0006624546.tif 000012
【図１１】
0006624546.tif 000013